(57)【特許請求の範囲】
【請求項１】
走行装置を有して走行可能な走行機体の後部に装着され、耕耘ロータを回転させながら前記走行機体の前進走行に伴って進行して圃場を耕耘し、前記耕耘ロータを回転自在に支持する機体に、前記走行機体の前記走行装置の通過により圃場表面に形成された凹部に土を寄せることが可能な土寄せ板が設けられる耕耘作業機であって、
前記土寄せ板は、前記凹部に土を寄せるときに装着される前記機体の土寄せ位置と、前記土寄せ板を前記機体に格納するときに装着される前記機体の格納位置に、選択的に着脱可能に装着されるとともに、前記土寄せ位置において前記機体の幅方向に位置調節可能に装着され、
前記機体の前記土寄せ位置には、前記土寄せ板を着脱可能に装着支持する装着受け部が設けられ、
前記装着受け部は、前記機体に対して進行方向前側へ突出し、上部に被係合部が設けられ下部にピンを挿通可能な孔部が設けられて、機体幅方向に並設された一対の支持板を有し、
前記土寄せ板は、土を寄せる板状部と、該板状部の土を寄せる側の面と反対側の面に前記支持板を挿入可能な隙間を有して並設された一対の突出板と、前記一対の突出板の一方側の端部間に架設された係合部と、前記一対の各突出板の他方側に設けられて前記ピンを挿通可能な通し孔部とを有することを特徴とする耕耘作業機。
【請求項２】
前記土寄せ板は、前記係合部が前記一対の支持板のいずれかの支持板の前記被係合部に係止されるとともに、前記土寄せ板の他方側の一対の突出板間に挿入された前記支持板の前記孔部と前記通し孔部とを連通させた状態で、これらの孔部に前記ピンを挿通して、前記支持板に装着されることを特徴とする請求項１に記載の耕耘作業機。
【請求項３】
走行装置を有して走行可能な走行機体の後部に装着され、耕耘ロータを回転させながら前記走行機体の前進走行に伴って進行して圃場を耕耘し、前記耕耘ロータを回転自在に支持する機体に、前記走行機体の前記走行装置の通過により圃場表面に形成された凹部に土を寄せることが可能な土寄せ板が設けられる耕耘作業機であって、
前記土寄せ板は、前記凹部に土を寄せるときに装着される前記機体の土寄せ位置と、前記土寄せ板を前記機体に格納するときに装着される前記機体の格納位置に、選択的に着脱可能に装着されるとともに、前記土寄せ位置において前記機体の幅方向に位置調節可能に装着され、
前記機体の前記土寄せ位置には、前記土寄せ板を着脱可能に装着支持する装着受け部が設けられ、
前記装着受け部は、前記機体に対して進行方向前側へ突出し、上部に被係合部が設けられ下部にピンを挿通可能な孔部が設けられて、機体幅方向に並設された一対の支持板を有し、
前記土寄せ板は、土を寄せる板状部と、該板状部の土を寄せる側の面と反対側の面に設けられた１つの突出板と、該突出板の一方側の端部に設けられた係合部と、前記突出板の他方側に設けられて前記ピンを挿通可能な通し孔部とを有することを特徴とする耕耘作業機。
【請求項４】
前記土寄せ板は、前記突出板が前記一対の支持板のいずれかにおける側面に沿って配置されて、前記係合部が前記支持板の前記被係合部に係止されるとともに、前記突出板の他方側の通し孔部と前記支持板の前記孔部とを連通させた状態で、これらの孔部に前記ピンを挿通して、前記支持板に装着されることを特徴とする請求項３に記載の耕耘作業機。
【発明の詳細な説明】
【技術分野】
【０００１】
本発明は、耕耘ロータを回転させながら進行して圃場を耕耘する耕耘作業機に関する。
【背景技術】
【０００２】
このような耕耘作業機には、例えば、特許文献１に記載されているように、車輪を有して走行可能な走行機体の後部に装着され、耕耘ロータを回転させながら走行機体の前進走行に伴って進行して圃場を耕耘する代かき用の耕耘作業機がある。
【０００３】
この耕耘作業機は、耕耘ロータの上部を覆うシールドカバーの後端部に上下方向に回動自在に支持されたエプロン（文献では整地体）と、エプロンの後端部に上下方向に回動自在に接続されたレベラーとを有し、これらエプロン及びレベラーによって圃場の表面が均平にされる。
【０００４】
しかしながら、この耕耘作業機は、走行機体が圃場を走行すると、走行機体の車輪によるタイヤ跡が圃場に形成されて土の片寄りが発生し、エプロン及びレベラーによる均平作業が不十分になる場合がある。
【０００５】
そこで、この耕耘作業機には、耕耘ロータを回転自在に支持するとともに、駆動力を伝達する伝動ケースの下部に土を寄せる土寄せ板が設けられている。
【先行技術文献】
【特許文献】
【０００６】
【特許文献１】特開２００５−１１０６１３号公報
【発明の概要】
【発明が解決しようとする課題】
【０００７】
この土寄せ板は、複数のボルトを介して伝動ケースに取り付けられているので、圃場によって土寄せ板が不要となる場合には、複数のボルトを伝動ケースから取り外す必要があり、また土寄せ板を伝動ケースに装着する際には複数のボルトを締結する作業が必要になる。この複数のボルトの着脱作業は、作業者にとって煩わしい。また取り外した土寄せ板は倉庫等に保管されるが、必要時に倉庫等に取りに行くのも煩わしい。
【０００８】
また、タイヤ幅が異なる車輪を有する走行機体に耕耘作業機が装着された場合、タイヤ跡が伝動ケースに対してケース幅方向にずれると、土寄せ板によってタイヤ跡を埋めることができなくなる虞が生じる。
【０００９】
本発明は、このような問題に鑑みてなされたものであり、作業者を煩わせることなく土寄せ板を機体に着脱することができ、土寄せ板の装着時に土寄せ板を倉庫等に取りに行く煩わしさがなく、またタイヤ幅が異なる車輪を有する走行機体に耕耘作業機が装着された場合でも、タイヤ跡を埋めることができる耕耘作業機を提供することを目的とする。
【課題を解決するための手段】
【００１０】
このような課題を解決するため、本発明は、走行装置（実施の形態におけるタイヤ９０ａ）を有して走行可能な走行機体の後部に装着され、耕耘ロータを回転させながら走行機体の前進走行に伴って進行して圃場を耕耘し、耕耘ロータを回転自在に支持する機体に、走行機体の走行装置の通過により圃場表面に形成された凹部（実施の形態におけるタイヤ跡Ａ）に土を寄せることが可能な土寄せ板が設けられる耕耘作業機（実施の形態における代かき作業機１）であって、土寄せ板は、凹部に土を寄せるときに装着される機体の土寄せ位置と、土寄せ板を機体に格納するときに装着される機体の格納位置に、選択的に着脱可能に装着されるとともに、土寄せ位置において機体の幅方向に位置調節可能に装着されることを特徴とする（請求項１）。
【００１１】
また、本発明の機体の土寄せ位置及び格納位置には、土寄せ板を着脱可能に装着支持する装着受け部（実施の形態におけるスタンド取付け座４０、装着受け部４５）が設けられ、土寄せ位置に設けられる装着受け部は、機体を支持するスタンドが取り付けられるスタンド取付け座であることを特徴とする（請求項２）。
【００１２】
また、本発明のスタンド取付け座は、機体に対して進行方向前側へ突出し、上部に被係合部（実施の形態における係合凹部４１ａ、４１'ａ）が設けられ下部にピンを挿通可能な孔部（実施の形態におけるスタンド側孔部４１ｂ、４１'ｂ）が設けられて、機体幅方向に並設された一対の支持板を有し、土寄せ板は、土を寄せる板状部と、該板状部の土を寄せる側の面と反対側の面（実施の形態における裏面５３ｄ）に支持板を挿入可能な隙間を有して並設された一対の突出板と、一対の突出板の一方側の端部間に架設された係合部（実施の形態における軸部５１）と、一対の各突出板の他方側に設けられてピンを挿通可能な通し孔部とを有し、土寄せ板は、係合部が一対の支持板のいずれかの支持板の被係合部に係止されるとともに、土寄せ板の他方側の一対の突出板間に挿入された支持板の孔部と通し孔部とを連通させた状態で、これらの孔部にピンを挿通して、支持板に装着されることを特徴とする（請求項３）。
【００１３】
また、本発明のスタンド取付け座は、機体に対して進行方向前側へ突出し、上部に被係合部が設けられ下部にピンを挿通可能な孔部が設けられて、機体幅方向に並設された一対の支持板を有し、土寄せ板は、土を寄せる板状部と、該板状部の土を寄せる側の面と反対側の面に一対の支持板のいずれかに沿って配置される１つの突出板（実施の形態における突出板５５）と、該突出板の一方側の端部に設けられた係合部と、突出板の他方側に設けられてピンを挿通可能な通し孔部とを有し、土寄せ板は、突出板が一対の支持板のいずれかの支持板の両側面の一方に沿って配置されて、係合部が支持板の被係合部に係止されるとともに、突出板の他方側の通し孔部と支持板の孔部とを連通させた状態で、これらの孔部にピンを挿通して、支持板に装着されることを特徴とする（請求項４）。
【発明の効果】
【００１４】
本発明に係わる耕耘作業機によれば、上記特徴を有することで、作業者を煩わせることなく土寄せ板を機体に着脱することができ、土寄せ板の装着時に土寄せ板を倉庫等に取りに行く煩わしさがなく、またタイヤ幅が異なるタイヤを有する走行機体に耕耘作業機が装着された場合でも、タイヤ跡を埋めることができる耕耘作業機を提供することができる。
【図面の簡単な説明】
【００１５】
【図１】本発明の一実施形態に係わる土寄せ板が設けられた代かき作業機の作業機本体の側面図を示す。
【図２】この代かき作業機の平面図を示す。
【図３】土寄せ位置及び格納位置を説明するための代かき作業機の部分平面図を示す。
【図４】土寄せ板を示し、同図（ａ）は土寄せ板の平面図であり、同図（ｂ）は土寄せ板の一方側の側面図であり、同図（ｃ）は土寄せ板の他方側の側面図であり、同図（ｄ）は土寄せ板の正面図である。
【図５】土寄せ板が土寄せ位置において機体幅方向に位置調節ができることを説明するための代かき作業機の正面側の説明図を示し、同図（ａ）は土寄せ板が土寄せ位置の外側に装着された場合を示し、同図（ｂ）は土寄せ板が土寄せ位置の内側に装着された場合を示す。
【図６】土寄せ板が土寄せ位置において機体幅方向に位置調節ができることを説明するための代かき作業機の正面側の部分拡大説明図を示し、同図（ａ）は土寄せ板が土寄せ位置の外側に装着された場合を示し、同図（ｂ）は土寄せ板が土寄せ位置の内側に装着された場合を示す。
【図７】土寄せ板が格納位置に装着された代かき作業機の正面側の説明図を示す。
【図８】土寄せ板の他の実施形態を示し、同図（ａ）は土寄せ板の平面図であり、同図（ｂ）は土寄せ板の一方側の側面図であり、同図（ｃ）は土寄せ板の正面図である。
【図９】他の実施形態の土寄せ板をスタンド取り付け座に対して機体幅方向に位置調節できることを説明するための説明図である。
【発明を実施するための形態】
【００１６】
以下、本発明の好ましい実施の形態を図１〜図９に基づいて説明する。本発明に係る耕耘作業機は、耕耘作業機の一例である代かき作業機について説明し、特に、作業機本体の両側に左右の作業体が折り畳み且つ展開可能に設けられたものを例にして説明する。
【００１７】
代かき作業機１は、図１（側面図）及び図２（平面図）に示すように、走行機体９０の後部に装着されて走行機体９０の前進走行とともに進行して代かき作業を行うものであり、機体前進方向に対して左右方向の中央部に配置された作業機本体２と、この左右両端部に上下方向に回動可能に取り付けられた左作業体２０Ｌ及び右作業体２０Ｒとを備え、作業機本体２、左作業体２０Ｌ、右作業体２０Ｒによって３分割構造になっている。
【００１８】
作業機本体２は、左右方向に延びる主フレーム３を有した機体５の前部に、走行機体９０の後部に設けられた図示しない３点リンク連結機構が連結されて、走行機体９０の後部に対して昇降可能に装着される。主フレーム３の左右方向の中央部には前方へ突出する入力軸６ａを備えたギアボックス６が設けられ、走行機体９０のＰＴＯ軸からユニバーサルジョイント等の動力伝達手段を介して動力が入力軸６ａに伝達されるようになっている。
【００１９】
主フレーム３の左右両端部には伝動フレーム（チェーンケース）８及び側部フレーム９が垂設され、伝動フレーム（チェーンケース）８と側部フレーム９の下部間には多数の耕耘爪を取り付けた耕耘ロータ１３が回転自在に支持されている。主フレーム３内には伝動機構が設けられ、この伝動機構が伝動フレーム（チェーンケース）８内の伝動機構と連結されて、入力軸６ａに伝達された動力がこれらの伝動機構を介して作業機本体２の耕耘ロータ１３と左作業体２０Ｌ、右作業体２０Ｒに設けられた耕耘ロータに伝達されて、作業機本体２の耕耘ロータ１３と左作業体２０Ｌ、右作業体２０Ｒに設けられた耕耘ロータを所定方向に回転させるように構成されている。
【００２０】
伝動フレーム（チェーンケース）８と側部フレーム９の上部間には耕耘ロータ１３の上部を覆うシールドカバー１０が設けられている。このシールドカバー１０の後端部には、前端部が上下方向に回動自在に取り付けられて後側が斜め下方へ延びる第１整地板１１が取り付けられ、第１整地板１１の後端部によって耕土表面が平らに整地される。第１整地板１１の後端部には、第２整地板１２が上下方向に回動自在に取り付けられ、この第２整地板１２によって圃場の耕土表面が平らに整地される。
【００２１】
作業機本体２の主フレーム３の両端部には、図１及び図３に示すように、進行方向前側へ延びるブラケット１６が設けられている。このブラケット１６の先端部にスタンド又は後述する土寄せ板５０を取り付けるためのスタンド取付け座４０が設けられている。なお、走行機体９０が圃場を走行すると、走行機体９０のタイヤ９０ａのタイヤ跡Ａ（図２参照）が圃場に形成されて土の片寄りが発生するが、スタンド取付け座４０に土寄せ板５０を装着すると、土寄せ板５０によって土の片寄りを戻して圃場表面を均平にすることができる。以下、機体５に対するスタンド取付け座４０の位置を、「土寄せ位置Ｐｓ」と記す。本実施例では、ブラケット１６を主フレーム３の両端部に設けているが、これは作業機本体２が装着される走行機体９０の大きさを考慮した位置となっており、必ずしも主フレーム３の両端部とは限らない。
【００２２】
スタンド取付け座４０は、左右方向に所定間隔を有して配置されて前方へ突出するとともに上下方向に延びる一対の支持板４１、４１'と、これら支持板４１、４１'の後端部間を繋ぐ基板４２とを有して構成されて、正面視において逆Ｕ字状に形成されている。一対の支持板４１、４１'は、略同一形状を有し、側面視において長方形状に形成されている。これらの支持板４１、４１'の上部には、土寄せ板５０の軸部５１（係合部）を掛け止するための円弧状の係合凹部４１ａ（被係合部）が設けられている。また、支持板４１、４１'の各下部には、ピン６０を挿通させるためのスタンド側孔部４１ｂが設けられている。
【００２３】
また、このスタンド取付け座４０よりも上方のシールドカバー１０上には、スタンド取付け座４０の支持板４１、４１'と同一形状の装着受け部４５が設けられている。この装着受け部４５は、係合凹部４１ａが作業機本体２の左右方向端部側に位置するとともに、一対の支持板４１、４１'が左右方向に延びるように配置されている。この装着受け部４５に土寄せ板５０を装着すると、土寄せ板５０を代かき作業機１の機体５に格納することができる。以下、機体５に対する装着受け部４５の位置を、「格納位置Ｐｋ」と記す。これら土寄せ位置Ｐｓ及び格納位置Ｐｋに、土寄せ板５０が選択的に装着される。土寄せ板５０の詳細については後述する。
【００２４】
作業機本体２の左右両端部には、シールドカバー１０の上方位置に前後方向に延びる軸部１４が設けられ、この軸部１４を中心として左作業体２０Ｌ、右作業体２０Ｒが上下方向に回動自在に設けられている。作業機本体２と左作業体２０Ｌ、右作業体２０Ｒの上部間には軸部１４に回動自在に設けられた回動板１７を介して電動油圧式の油圧シリンダ１５が設けられ、この油圧シリンダ１５の伸縮によって、左作業体２０Ｌ及び右作業体２０Ｒが作業機本体２の上方に折り畳まれる格納位置と、左作業体２０Ｌ及び右作業体２０Ｒが作業機本体２の側方に展開される展開位置Ｐｔ（図２参照）との間を移動する。
【００２５】
左作業体２０Ｌ及び右作業体２０Ｒは、図２に示すように、左右対称の構造であり、左作業体２０Ｌで説明すると、左右両側に側部フレーム２２Ｌ、２３Ｌが配設され、これらの側部フレーム２２Ｌ、２３Ｌの下部間には耕耘ロータが回転自在に支持され、側部フレーム２２Ｌ、２３Ｌの上部間には耕耘ロータの上部を覆うシールドカバー左２４Ｌが設けられている。シールドカバー左２４Ｌの後端部には、第１整地板左が上下方向に回動自在に取り付けられ、第１整地板左の後端部に第２整地板左が上下方向に回動自在に取り付けられている。
【００２６】
第１整地板左及び第２整地板左は、左作業体２０Ｌの展開姿勢時に、作業機本体２の第１整地板１１（図１参照）及び第２整地板１２（図１参照）に接合して回動板１７に連動するフック１８（図３参照）によって連結され、左作業体２０Ｌの折り畳み姿勢時には、フック１８の連結が解除されて第１整地板左及び第２整地板左が作業機本体２の外端部から離反して第１整地板１１及び第２整地板１２との接合が解除されるようになっている。
【００２７】
次に、土寄せ板５０について、図３、図４（ａ）（平面図）、図４（ｂ）（左側面図）、図４（ｃ）（右側面図）、図４（ｄ）（正面図）を参照しながら説明する。土寄せ板５０は、土を寄せる板状部５３と、板状部５３の土を寄せる側の表面と反対側の裏面５３ｄにスタンド取付け座４０及び装着受け部４５の支持板４１、４１'を挿入可能な隙間５７を有して並設された一対の突出板５５、５６と、一対の突出板５５、５６の長手方向一方側の端部間に架設された軸部５１と、一対の突出板５５、５６の長手方向他方側に設けられて前述したピン６０を挿通可能な通し孔部５８、５９とを有してなる。
【００２８】
板状部５３は、一方側の角部に切り欠き５３ｃが形成されて平面視において略長方形状に形成されている。一対の突出板５５、５６は板状部５３の裏面５３ｄの切り欠き５３ｃが設けられた側と反対側の板状部５３の長辺５３ａに沿って板状部５３の一端側から他端側に亘って設けられている。これらの突出板５５、５６は裏面５３ｄに対して傾斜角度θ（図面では約７０°）を有して取り付けられている（図４（ｄ）参照）。一対の突出板５５、５６の長手方向一端側の上部には、突出板５５、５６に対して直交する方向に延びる軸部５１が挿着されている。このため、軸部５１に対して板状部５３は傾斜角度α（９０°−θ°）を有して傾斜している。従って、軸部５１を水平に保持すると、板状部５３は傾斜角度αを有して傾く。板状部５３の傾斜角度αは、走行機体９０の走行速度や土を寄せる機能等を考慮して決定される。
【００２９】
突出板５５、５６の高さは突出板５５、５６の長手方向に対して軸部５１側が高く、軸部５１から離反する側が暫時低くなるように形成されている。突出板５５、５６の軸部５１側と反対側には、ピン６０を挿通可能な通し孔部５８、５９が設けられている。
【００３０】
これらの通し孔部５８、５９は、同軸上に配置されているとともに、軸部５１を係合凹部４１ａ又は４１'ａに掛け止した状態でスタンド取付け座４０のスタンド側孔部４１ｂ、４１'ｂに連通可能な位置に配設されている。このため、一対の突出板５５、５６間にスタンド取付け座４０の支持板４１又は支持板４１'を挿入し、軸部５１を係合凹部４１ａ又は４１'ａに掛け止した状態で、通し孔部５８、５９にスタンド側孔部４１ｂを連通させると、これらの孔部５８、５９、４１ｂにピン６０を挿通させることができ、土寄せ板５０を支持板４１又は支持板４１'に保持させることができる。
【００３１】
つまり、土寄せ板５０は、スタンド取付け座４０の一対の支持板４１、４１'のいずれにも装着することができる。このため、図５（ａ）に示すように、土寄せ板５０をスタンド取付け座４０の支持板４１'に取り付けると、土寄せ位置Ｐｓの外側の位置（外側位置Ｐｓｏ）に土寄せ板５０を装着することができる。また、図５（ｂ）に示すように、土寄せ板５０をスタンド取付け座４０の支持板４１に取り付けると、土寄せ位置Ｐｓの内側の位置（内側位置Ｐｓｉ）に土寄せ板５０を装着することができる。
【００３２】
次に、土寄せ板５０を土寄せ位置の外側位置Ｐｓｏに装着する場合について、図６（ａ）を参照しながら説明する。先ず、土寄せ板５０の軸部５１をスタンド取付け座４０の支持板４１'の係合凹部４１ａ（図１参照）に掛け止する。そして、土寄せ板５０の軸部５１から離れる側を、軸部５１を中心としてスタンド取付け座４０側へ回動させて、土寄せ板５０の一対の突出板５５、５６間に支持板４１'を挿入する。そして、通し孔部５８、５９とスタンド側孔部４１'ｂを連通状態にする。以下、通し孔部５８、５９、及びスタンド側孔部４１'ｂ（４１ｂ）を、まとめて孔部５８、５９、４１'ｂと記す。そして、これらの孔部５８、５９、４１'ｂ（４１ｂ）にピン６０を挿通する。従って、土寄せ板５０の軸部５１側は係合凹部４１ａに支持され、土寄せ板５０の軸部５１よりも他方側はピン６０を介して支持板４１'に保持されて、土寄せ板５０がスタンド取付け座４０に装着される。
【００３３】
次に、土寄せ板５０を土寄せ位置Ｐｓの内側の位置Ｐｓｉに装着する場合について、図６（ｂ）を参照しながら説明する。先ず、土寄せ板５０の軸部５１をスタンド取付け座４０の支持板４１の係合凹部４１ａに掛け止する。そして、土寄せ板５０の軸部５１から離れる側を、軸部５１を中心としてスタンド取付け座４０側へ回動させて、土寄せ板５０の一対の突出板５５、５６間に支持板４１を挿入する。そして、通し孔部５８、５９とスタンド側孔部４１ｂを連通させ、これらの孔部５８、５９、４１ｂにピン６０を挿通させる。従って、土寄せ板５０の軸部５１側は係合凹部４１ａに支持され、土寄せ板５０の軸部５１よりも他方側はピン６０を介して支持板４１に保持されて、土寄せ板５０がスタンド取付け座４０に装着される。
【００３４】
このように、土寄せ板５０を土寄せ位置Ｐｓの外側位置Ｐｓｏ又は内側位置Ｐｓｉに装着する場合には、土寄せ板５０の軸部５１を係合凹部４１ａに掛け止した後に、軸部５１を中心として土寄せ板５０をスタンド取付け座４０側に回動させる操作して、ピン６０を挿入するだけでよい。このため、土寄せ板５０を土寄せ位置Ｐｓに装着する作業は容易であり、この土寄せ板５０の取付作業が作業者を煩わせることはない。
【００３５】
また、土寄せ板５０をスタンド取付け座４０の支持板４１又は支持板４１'のいずれかに取り付けることで、土寄せ板５０を土寄せ位置Ｐｓに対して機体幅方向の内側位置Ｐｓｉ及又は外側位置Ｐｓｏに位置調節して取り付けることができる。このため、異なるタイヤ幅を有したタイヤが装着された走行機体９０に代かき作業機１を装着する場合、タイヤ幅に応じて土寄せ板５０の位置を土寄せ位置Ｐｓの内側位置Ｐｓｉ及び外側位置Ｐｓｏに位置調整することで、タイヤ跡を埋めることができる。
【００３６】
次に、土寄せ位置Ｐｓの内側位置Ｐｓｉ又は外側位置Ｐｓｏに装着された土寄せ板５０をスタンド取付け座４０から取り外す場合について図６（ａ）及び図６（ｂ）を参照しながら説明する。先ず、ピン６０を孔部５８、５９、４１ｂ（４１ｂ'）から抜脱する。そして、軸部５１を中心として土寄せ板５０の他方側をスタンド取付け座４０から離反する方向に回動させて、支持板４１又は支持板４１'に対する土寄せ板５０の他方側の保持を解き、係合凹部４１ａから土寄せ板５０の軸部５１を取り外す。
【００３７】
このように、土寄せ板５０を土寄せ位置Ｐｓの内側位置Ｐｓｉ又は外側位置Ｐｓｏから取り外す場合には、ピン６０を孔部５８、５９、４１ｂ（４１ｂ'）から抜脱し、軸部５１を中心として土寄せ板５０をスタンド取付け座４０から離反する方向に回動させて、軸部５１を係合凹部４１ａから取り外す操作だけでよい。このため、土寄せ板５０を土寄せ位置Ｐｓから取り外す作業も容易であり、この土寄せ板５０の取り外し作業が作業者を煩わせることもない。
【００３８】
また、本発明の代かき作業機１には、図７に示すように、シールドカバー１０にスタンド取付け座４０の支持板４１、４１'と同一形状の前述した装着受け部４５が設けられている。このため、土寄せ板５０を使用しない場合には、この装着受け部４５に土寄せ板５０を装着して、土寄せ板５０を代かき作業機１に格納することができる。なお、土寄せ板５０を装着受け部４５に装着する場合の操作は、土寄せ板５０をスタンド取付け座４０に装着する場合と同様なので、その説明は省略する。
【００３９】
一方、土寄せ板５０を使用する際には、格納位置Ｐｋに装着された土寄せ板５０を取り外して土寄せ位置Ｐｓに装着すればよいので、土寄せ板５０を倉庫等に取りに行く煩わしさを解消することができる。なお、土寄せ板５０を装着受け部４５から取り外す場合の操作は、土寄せ板５０をスタンド取付け座４０から取り外す場合と同様なので、その説明は省略する。
【００４０】
前述した実施形態では、土寄せ板５０が２つの突出板５５、５６を備えたものを示したが、図８（ａ）、図８（ｂ）、図８（ｃ）に示すように、土寄せ板７０は１つの突出板５５を備えてなるものでもよい。この土寄せ板７０は前述した土寄せ板５０から突出板５６を省略したものであり、その他の構成は土寄せ板５０と同様であるので、同一態様部分については同一符号を附してその説明を省略する。
【００４１】
突出板５５の長手方向一方側の端部に設けられた軸部５１は、突出板５５の幅方向両側から略同一長さを有して突出する軸部左５１ａ及び軸部右５１ｂを有している。これら軸部左５１ａ及び軸部右５１ｂは、前述したスタンド取付け座４０及び装着受け部４５の係合凹部４１ａ又は４１'ａ（図１参照）に掛け止可能である。
【００４２】
このため、図９に示すように、スタンド取付け座４０の一対の支持板４１、４１'のいずれかの一方の側面に突出板５５を沿わせた状態で、土寄せ板５０をスタンド取付け座４０に装着することができる。つまり、土寄せ板５０は、支持板４１の外側の側面４１ａと、支持板４１の内側の側面４１ｂと、支持板４１'の外側の側面４１'ａと、支持板４１'の内側の側面４１'ｂのいずれかの側面に突出板５５を沿わせた状態で、スタンド取付け座４０に装着することができる。このため、土寄せ板５０を土寄せ位置Ｐｓに装着する場合の機体幅方向の位置調節をより細かくすることができる。
【００４３】
なお、前述した実施形態では、走行機体９０としてタイヤ９０ａを有して走行可能なものを示したが、タイヤ９０ａの代わりにクローラ式の走行装置を有した走行機体でもよい。
【００４４】
また前述した実施例では、土寄せ位置Ｐｓの上方のシールドカバー１０上に装着受け部４５を設けたが、装着受け部４５を設ける位置はこの位置に限るものではなく、代かき作業中に装着受け部４５が邪魔をすることがなく、また左作業体２０Ｌや右作業体２０Ｒを折り畳んだ格納位置に移動させても、これらの作業体に装着受け部４５が接触する虞がない等の位置であれば、機体のいずれの位置に装着受け部４５を設けてもよい。
【００４５】
さらに、前述した実施の形態では、左作業体２０Ｌ、右作業体２０Ｒが作業機本体２に対して折り畳み可能な構造の代かき作業機１を例にしたが、左作業体２０Ｌ、右作業体２０Ｒを無くし作業機本体２の幅方向端部に延長整地板左、延長整地板右を回動自在に取り付けて構成される代かき作業機でもよい。
【符号の説明】
【００４６】
１  代かき作業機（耕耘作業機）
５  機体
１３  耕耘ロータ
４０  スタンド取付け座（装着受け部）
４１、４１'  支持板
４１ａ、４１'ａ  係合凹部（被係合部）
４１ｂ、４１'ｂ  スタンド側孔部（孔部）
４１ｃ、４１'ｃ、４１ｄ、４１'ｄ  側面
４５  装着受け部
５０、７０  土寄せ板
５１  軸部（係合部）
５３  板状部
５３ｄ  裏面（面）
５５、５６  突出板
５７  隙間
５８、５９  通し孔部（弾性体）
６０  ピン
９０  走行機体
９０ａ  タイヤ（走行装置）
Ａ  タイヤ跡（凹部）
Ｐｋ  格納位置
Ｐｓ  土寄せ位置
【図１】
0005832820.tif 000002
【図２】
0005832820.tif 000003
【図３】
0005832820.tif 000004
【図４】
0005832820.tif 000005
【図５】
0005832820.tif 000006
【図６】
0005832820.tif 000007
【図７】
0005832820.tif 000008
【図８】
0005832820.tif 000009
【図９】
0005832820.tif 000010